(57)【要約】【課題】現像剤収容容器の傾きを検出して、現像剤の偏りをなくし、適切な画像濃度を得る。【解決手段】トナーとキャリアを含む現像剤が収容され、静電潜像を現像してトナー像が形成される像担持体１４を備えた現像剤収容容器１１と、現像剤収容容器１１に現像剤を補給する現像剤補給手段２０と、現像剤収容容器１１から現像剤を排出すると共に、排出した現像剤を回収容器２５に回収する現像剤回収手段２５と、現像剤収容容器１１の水平面に対する傾き量を検出する傾き量検出手段２６と、傾き量検出手段２６で検出された傾き量が、予め設定した閾値を超えることにより警告を発する警告手段４０と、を備える。【選択図】図４
2009288755.tif 000002
【特許請求の範囲】
【請求項１】
トナーとキャリアを含む現像剤が収容され、像担持体にトナーを供給する現像ローラを備えた現像剤収容容器と、
前記現像剤収容容器に現像剤を補給する現像剤補給手段と、
前記現像剤収容容器から現像剤を排出すると共に、排出した現像剤を回収容器に回収する現像剤回収手段と、を備えた現像装置であって、
前記現像剤収容容器の水平面に対する傾き量を検出する傾き量検出手段と、
前記傾き量検出手段で検出された傾き量が、予め設定した閾値を超えることにより警告を発する警告手段と、をさらに備えたことを特徴とする現像装置。
【請求項２】
前記傾き量検出手段は、
前記現像剤収容容器から排出される現像剤の排出量を検出する排出量検出手段と、
前記排出量検出手段で検出される現像剤の排出量の変化に基づいて、現像剤収容容器の水平面に対する傾き量を推測する傾き量推測手段と、を備えたことを特徴とする請求項１に記載の現像装置。
【請求項３】
前記傾き量検出手段は、
現像剤収容容器が水平状態に位置する際に於ける単位時間当たりの現像剤の排出量である基準排出量を記憶する記憶手段と、
前記排出量検出手段で検出される単位時間当たりの現像剤の排出量である検出排出量と、前記記憶手段に記憶した基準排出量との差分に基づいて、前記現像剤収容容器の傾き量を推測することを特徴とする請求項２に記載の現像装置。
【請求項４】
前記現像剤収容容器は、長手方向のいずれか一方の端部に現像剤が排出される排出部を形成され、複数個が短手方向に所定間隔で並設され、少なくともいずれか１つの現像剤収容容器に形成される排出部は、他のものとは反対側の端部に形成されることを特徴とする請求項１から３のいずれか１項に記載の現像装置。
【請求項５】
前記傾き量検出手段は、
前記像担持体上に、第１テストパターンを形成する第１テストパターン形成手段と、
前記像担持体上に、前記第１テストパターンに対して主走査方向にずれた位置に第２テストパターンを形成する第２テストパターン形成手段と、
前記第１テストパターンの濃度を検出する第１テストパターン検出手段と、
前記第２テストパターンの濃度を検出する第２テストパターン検出手段と、を備え、
前記警告手段は、前記各テストパターン検出手段によって検出された結果の差分が、予め設定した閾値を超えることにより警告を発することを特徴とする請求項１に記載の現像装置。
【請求項６】
前記傾き量検出手段は、さらに、前記現像剤収容容器から排出される現像剤の排出量を検出する排出量検出手段を備え、
前記警告手段は、前記各テストパターン検出手段によって検出された結果の差分が、予め設定した閾値を超え、さらに、排出量検出手段で検出される現像剤の排出量が、予め設定した閾値を超えることにより警告を発することを特徴とする請求項５に記載の現像装置。
【請求項７】
さらに、前記回収容器が交換されたか否かを検出する回収容器検出手段を備え、
前記傾き量検出手段は、回収容器検出手段により回収容器の交換が検出されることにより傾き量を検出することを特徴とする請求項１から６のいずれか１項に記載の現像装置。
【請求項８】
前記請求項１から７のいずれか１項に記載の現像装置を備えたことを特徴とする画像形成装置。
【請求項９】
トナーとキャリアを含む現像剤が収容され、静電潜像を現像してトナー像が形成される像担持体を備えた現像剤収容容器の傾き検出方法であって、
前記現像剤収容容器から排出される現像剤の排出量を検出する排出量検出工程と、
前記第排出量検出工程で検出される現像剤の排出量の変化に基づいて、現像剤収容容器の水平面に対する傾き量を検出する傾き量検出工程と、
前記傾き量検出工程で検出した傾き量が、予め設定した閾値を超えることにより警告を発する警告工程と、を含むことを特徴とする現像剤収容容器の傾き検出方法。
【請求項１０】
前記傾き量検出工程は、前記排出量検出工程で検出される単位時間当たりの現像剤の排出量である検出排出量と、現像剤収容容器が水平状態に位置する際に於ける単位時間当たりの現像剤の排出量である基準排出量との差分に基づいて、前記現像剤収容容器の傾き量を推測することを特徴とする請求項９に記載の現像剤収容容器の傾き検出方法。
【請求項１１】
前記傾き量検出工程は、
前記像担持体上に、第１テストパターンを形成し、前記第１テストパターンに対して主走査方向にずれた位置に第２テストパターンを形成するテストパターン形成工程と、
前記第１及び第２テストパターンの濃度を検出するテストパターン検出工程と、を含み、
前記警告工程は、前記テストパターン検出工程で検出された結果の差分が、予め設定した閾値を超えることにより警告を発することを特徴とする請求項９に記載の現像剤収容容器の傾き検出方法。
【請求項１２】
前記警告工程の前に実行される、前記現像剤収容容器から排出される現像剤の排出量を検出する排出量検出工程を、さらに含み、
前記警告工程は、前記テストパターン検出工程で検出された結果の差分が、予め設定した閾値を超え、さらに、排出量検出工程で検出される現像剤の排出量が、予め設定した閾値を超えることにより警告を発することを特徴とする請求項１１に記載の現像剤収容容器の傾き検出方法。
【請求項１３】
さらに、前記現像剤収容容器から排出された現像剤を回収する回収容器が交換されたか否かを検出する回収容器検出工程を含み、
前記傾き量検出工程は、前記回収容器検出工程で回収容器の交換が検出されることにより傾き量を検出することを特徴とする請求項９から１２のいずれか１項に記載の現像剤収容容器の傾き検出方法。
【発明の詳細な説明】
【技術分野】
【０００１】
本発明は、現像装置、該現像装置を備えた、複写機、レーザビームプリンタ、ファクシミリ、あるいは、これらの複合機等の画像形成装置、及び、現像剤収容容器の傾き検出方法に関するものである。
【背景技術】
【０００２】
従来、画像形成装置として、現像剤収容容器に現像剤を補給及び排出する、いわゆるトリクル方式のものが公知である。この画像形成装置では、排出した劣化現像剤を回収容器内に収容し、その劣化現像剤が所定量となれば、現像器本体の動作を停止するようにしている（例えば、特許文献１参照）。
【０００３】
【特許文献１】特開平１１−１１９５３１号公報
【発明の開示】
【発明が解決しようとする課題】
【０００４】
前記従来の画像形成装置では、水平な状態で設置されることが前提で設計されており、初期設置時に調整されている。ところが、実際には、設置後に場所を移され、その後傾いた状態のまま使用されることがある。この場合、現像剤収容容器も傾いて、収容された現像剤に偏りが発生し、その偏りに応じた画像濃度しか得られないという問題がある。
【０００５】
そこで、本発明は、現像剤収容容器の傾きを検出して、現像剤の偏りをなくし、適切な画像濃度を得ることのできる現像装置、該現像装置を備えた画像形成装置、及び、現像剤収容容器の傾き検出方法を提供することを課題とする。
【課題を解決するための手段】
【０００６】
本発明は、前記課題を解決するための手段として、
現像装置を、
トナーとキャリアを含む現像剤が収容され、像担持体にトナーを供給する現像ローラを備えた現像剤収容容器と、
前記現像剤収容容器に現像剤を補給する現像剤補給手段と、
前記現像剤収容容器から現像剤を排出すると共に、排出した現像剤を回収容器に回収する現像剤回収手段と、を備えた現像装置であって、
前記現像剤収容容器の水平面に対する傾き量を検出する傾き量検出手段と、
前記傾き量検出手段で検出された傾き量が、予め設定した閾値を超えることにより警告を発する警告手段と、をさらに備えた構成としたものである。
【０００７】
この構成により、現像剤収容容器の傾きを検出して、画像濃度に影響が出そうであれば、警告することができるので、ユーザは安心して使用することができる。
【０００８】
前記傾き量検出手段は、
前記現像剤収容容器から排出される現像剤の排出量を検出する排出量検出手段と、
前記排出量検出手段で検出される現像剤の排出量の変化に基づいて、現像剤収容容器の水平面に対する傾き量を推測する傾き量推測手段と、を備えるのが好ましい。
【０００９】
この構成により、既存の設備を利用して現像剤収容容器の傾きを検出することができるので、安価であり、既に販売されている機器にも柔軟に採用することが可能である。
【００１０】
前記傾き量検出手段は、
現像剤収容容器が水平状態に位置する際に於ける単位時間当たりの現像剤の排出量である基準排出量を記憶する記憶手段と、
前記排出量検出手段で検出される単位時間当たりの現像剤の排出量である検出排出量と、前記記憶手段に記憶した基準排出量との差分に基づいて、前記現像剤収容容器の傾き量を推測するように構成すればよい。
【００１１】
前記現像剤収容容器は、長手方向のいずれか一方の端部に現像剤が排出される排出部を形成され、複数個が短手方向に所定間隔で並設され、少なくともいずれか１つの現像剤収容容器に形成される排出部は、他のものとは反対側の端部に形成されるのが好ましい。
【００１２】
この構成により、現像剤収容容器が長手方向のいずれに傾いたとしても検出することが可能となる。
【００１３】
前記傾き量検出手段は、
前記像担持体上に、第１テストパターンを形成する第１テストパターン形成手段と、
前記像担持体上に、前記第１テストパターンに対して主走査方向にずれた位置に第２テストパターンを形成する第２テストパターン形成手段と、
前記第１テストパターンの濃度を検出する第１テストパターン検出手段と、
前記第２テストパターンの濃度を検出する第２テストパターン検出手段と、を備え、
前記警告手段は、前記各テストパターン検出手段によって検出された結果の差分が、予め設定した閾値を超えることにより警告を発するのが好ましい。
【００１４】
この構成により、現像剤収容容器の傾き以外の要因で画像濃度にムラが発生している場合であっても適切に検出することが可能となる。
【００１５】
前記傾き量検出手段は、さらに、前記現像剤収容容器から排出される現像剤の排出量を検出する排出量検出手段を備え、
前記警告手段は、前記各テストパターン検出手段によって検出された結果の差分が、予め設定した閾値を超え、さらに、排出量検出手段で検出される現像剤の排出量が、予め設定した閾値を超えることにより警告を発するように構成すればよい。
【００１６】
さらに、前記回収容器が交換されたか否かを検出する回収容器検出手段を備え、
前記傾き量検出手段は、回収容器検出手段により回収容器の交換が検出されることにより傾き量を検出するのが好ましい。
【００１７】
また、本発明は、前記課題を解決するための手段として、画像形成装置を、前記いずれかの現像装置を備えた構成としたものである。
【００１８】
また、本発明は、前記課題を解決するための手段として、
トナーとキャリアを含む現像剤が収容され、静電潜像を現像してトナー像が形成される像担持体を備えた現像剤収容容器の傾き検出方法であって、
前記現像剤収容容器から排出される現像剤の排出量を検出する排出量検出工程と、
前記第排出量検出工程で検出される現像剤の排出量の変化に基づいて、現像剤収容容器の水平面に対する傾き量を検出する傾き量検出工程と、
前記傾き量検出工程で検出した傾き量が、予め設定した閾値を超えることにより警告を発する警告工程と、を含むようにしたものである。
【００１９】
前記傾き量検出工程は、前記排出量検出工程で検出される単位時間当たりの現像剤の排出量である検出排出量と、現像剤収容容器が水平状態に位置する際に於ける単位時間当たりの現像剤の排出量である基準排出量との差分に基づいて、前記現像剤収容容器の傾き量を推測するのが好ましい。
【００２０】
前記傾き量検出工程は、
前記像担持体上に、第１テストパターンを形成し、前記第１テストパターンに対して主走査方向にずれた位置に第２テストパターンを形成するテストパターン形成工程と、
前記第１及び第２テストパターンの濃度を検出するテストパターン検出工程と、を含み、
前記警告工程は、前記テストパターン検出工程で検出された結果の差分が、予め設定した閾値を超えることにより警告を発するのが好ましい。
【００２１】
前記警告工程の前に実行される、前記現像剤収容容器から排出される現像剤の排出量を検出する排出量検出工程を、さらに含み、
前記警告工程は、前記テストパターン検出工程で検出された結果の差分が、予め設定した閾値を超え、さらに、排出量検出工程で検出される現像剤の排出量が、予め設定した閾値を超えることにより警告を発するのが好ましい。
【００２２】
さらに、前記現像剤収容容器から排出された現像剤を回収する回収容器が交換されたか否かを検出する回収容器検出工程を含み、
前記傾き量検出工程は、前記回収容器検出工程で回収容器の交換が検出されることにより傾き量を検出するのが好ましい。
【発明の効果】
【００２３】
本発明によれば、現像剤収容容器の傾きを検出するようにしたので、水平に設置されない場合には、画像濃度にムラが発生する前に、未然に警告することができる。
【発明を実施するための最良の形態】
【００２４】
以下、本発明に係る実施形態を添付図面に従って説明する。なお、以下の説明では、必要に応じて特定の方向や位置を示す用語（例えば、「上」、「下」、「一端」、「他端」等を含む用語）を用いるが、それらの用語の使用は図面を参照した発明の理解を容易にするためであって、それらの用語の意味によって本発明の技術的範囲が限定されるものではない。
【００２５】
図１は、２成分現像剤を用いた電子写真方式のうち、特に、トナーのみではなく現像剤を補給するようにした、いわゆるトリクル方式の画像形成装置を示す。この画像形成装置は、大略、画像形成ユニット１、転写ユニット２、露光ユニット３、給紙ユニット４、クリーニングユニット５、制御ユニット６（図５参照）、等を備える。
【００２６】
画像形成ユニット１は、図２に示すように、感光体ドラム７の周囲に、帯電装置８、現像装置９、クリーニング装置１０、等を備える。また、画像形成ユニット１は、図１に示すように、転写ユニット２の中間転写ベルト３２に沿って４箇所に配置され、それぞれ左側よりイエロー(Ｙ)、マゼンタ（Ｍ）、シアン（Ｃ）、ブラック（Ｂｋ）の画像形成を行なうことにより、中間転写ベルト３２の表面にカラー画像を形成する。
【００２７】
帯電装置８は、感光体ドラム７の表面に所定の表面電位を形成する。この表面電位は、露光ユニット３によって露光されることにより静電潜像となる。
【００２８】
現像装置９は、図２及び図３に示すように、現像剤収容容器１１内に、攪拌スクリュー１２、供給スクリュー１３、及び、現像ローラ１４をそれぞれ収容したものである。
【００２９】
現像剤収容容器１１は、図３に示すように、一端側から他端側へと延びる長尺な略箱形状で、内部は仕切壁１５によって長手方向に沿って第１収容部１６と第２収容部１７とに２分割されている。但し、第１収容部１６と第２収容部１７の両端側は連通部１８ａ、１８ｂによってそれぞれ連通され、収容された現像剤は攪拌されながら循環移動するようになっている。
【００３０】
第１収容部１６の一端側には現像剤補給口１９が形成され、対応する補給容器２０から現像剤が補給される。補給容器２０は、前記現像剤補給口１９への接続部２７に、補給モータ（図示せず）の駆動により回転し、現像剤を第１収容部１６へと補給するためのディスペンスロール（図示せず）が設けられている。
【００３１】
一方、第１収容部１６の他端側には現像剤排出部２１が形成され、適宜、現像剤を排出することにより劣化したキャリアが長期間に亘って現像剤収容容器１１内に残留しないようにしている。現像剤排出部２１では、第１収容部１６の他端面から突出する筒状の排出室２２内に、攪拌スクリュー１２と同軸で、攪拌スクリュー１２とは逆巻きの螺旋状に形成された排出制限羽根２２ａが配設されている。排出室２２の先端側の外面には現像剤排出口２３が形成されている。この現像剤排出口２３は、排出室２２の外面にスライド可能に装着された筒状のシャッター２４によって開閉可能となっている。また、排出室２２の先端部分は、回収容器２５に装着され、この装着時にシャッター２４が移動して現像剤排出口２３が開放されるようになっている。
【００３２】
なお、現像剤には、トナーとキャリアとを含む２成分現像剤が使用されている。但し、現像剤にはさらに外添剤等を含めるようにしても構わない。また、初期状態で、現像剤収容容器１１に収容される現像剤は、トナー濃度が約７％となるようにキャリア等との混合比率が決められている。また、補給容器２０に収容する現像剤では、画像形成処理でトナーのみが消費されるため、トナー濃度が高めの約８０％となるようにキャリア等との混合比率が決められている。
【００３３】
回収容器２５は、略箱形状で、下端部が下方に向かうに従って対向する２つの面が徐々に接近し、内部断面積が徐々に小さくなるように形成されている。回収容器２５の下端部には、回収された現像剤の容量を検出するための現像剤量検出センサ２６が取り付けられている。すなわち、現像剤量検出センサ２６は、断面積が徐々に小さくなる領域に設けられているので、現像剤収容容器１１から排出される現像剤の量の僅かな変化であっても検出可能となっている。なお、現像剤量検出センサ２６には、透磁率センサが使用されているが、現像剤の液面を検出する光学式のセンサや、フロート式のセンサ等を使用することもできる。
【００３４】
回収容器２５の上部側面には、前記排出室２２の先端部分が接続される接続部２７が形成されている。接続部２７は、回収容器２５の外面に貫通孔２５ａを形成し、この貫通孔２５ａを矩形平板状の弾性シート２８で覆ったものである。弾性シート２８の中央部には十字にスリット２８ａが形成され、このスリット２８ａを介して排出室２２の先端部分が挿入され、貫通孔２５ａに貫通される。接続状態では、排出室２２の先端部分のみが回収容器２５内に突出し、シャッター２４の鍔部２４ａは回収容器２５の外面に当接するので、現像剤排出口２３は強制的に開放されることになる。
【００３５】
攪拌スクリュー１２は、回転軸１２ａの周囲に螺旋状の羽根１２ｂを備えた構成で、第１収容部１６に配置されている。攪拌スクリュー１２は、回転駆動することにより、一端側（連通部１８ａ側）から他端側（連通部１８ｂ側）へと現像剤を搬送しながら撹拌する。
【００３６】
供給スクリュー１３は、前記攪拌スクリュー１２と同様に、回転軸１３ａの周囲に螺旋状の羽根１３ｂを備えた構成で、第２収容部１７に配置されている。供給スクリュー１３は、回転駆動することにより、現像剤を連通部１８ｂ側から連通部１８ａ側へと移送すると共に、現像ローラ１４へと供給する。
【００３７】
現像ローラ１４は、図２に示すように、円筒状のスリーブ２９内に複数の永久磁石３０を収容したものである（ここでは、５つの永久磁石Ｓ２，Ｎ２，Ｓ１，Ｎ１，Ｓ３を、この順で時計回り方向に配置している。）。スリーブ２９は、図示しないスリーブ駆動手段によって周方向に正逆回転するように構成されている。
【００３８】
クリーニング装置１０は、図１に示すように、感光体ドラム７の表面への転写後、この表面に残留するトナーをクリーニングする。
【００３９】
転写ユニット２は、一対の支持ローラ３１に中間転写ベルト３２を架け渡し、図示しない駆動手段により支持ローラ３１を駆動させ、中間転写ベルト３２を矢印方向に循環移動させるようにしたもので、１次転写部３３、及び、２次転写部３４を備える。
【００４０】
露光ユニット３は、前記感光体ドラム７に対してレーザ光を照射し、図示しないスキャナで読み取った画像データに対応する静電潜像を形成する。
【００４１】
給紙ユニット４は、カセット３５に収容した記録媒体３６を、順次、搬送ローラ３７を介して２次転写部３４へと搬送する。２次転写部３４に搬送された記録媒体３６には、トナー像が転写され、定着ユニット３８で転写させたトナー像が定着された後、排出トレイ３９へと搬出される。
【００４２】
クリーニングユニット５は、中間転写ベルト３２に接離可能で、接近することにより中間転写ベルト３２に残留するトナーを回収することができるようになっている。
【００４３】
制御ユニット６は、図６に示すように、従来同様に画像形成処理等を行うほか、回収容器２５に設けた現像剤量検出センサ２６からの検出信号に基づいて、予め記憶手段６ａに記憶させたデータを参照して、後述するようにして現像剤収容容器１１の傾き検出処理を行い、警告手段４０により警告を行う。
【００４４】
次に、前記構成からなる画像形成装置の動作について説明する。ここでは、従来公知の画像形成処理等については説明を省略し、現像剤収容容器１１の傾き検出処理について、図７のフローチャートに従って説明する。
【００４５】
まず、現像装置９が新品か否かを判断する（ステップＳ１）。現像装置９が新品か否かは、画像形成処理等を全く実施していないか否か等によって判断する。また、回収容器２５が新品（空）か否かを判断する（ステップＳ２）。回収容器２５が空か否かは、現像剤量検出センサ２６での検出信号に基づいて行う。少なくともいずれか一方が新品でなければ、従来同様、画像安定化制御処理を実行し（ステップＳ３）、画像形成処置を実行する（ステップＳ４）。
【００４６】
いずれも新品であれば、初期動作で、現像剤量検出センサ２６によって検出される現像剤量が予め設定した閾値を超えているか否かを判断する（ステップＳ５）。すなわち、現像剤収容容器１１には、初期状態で、予め決められた量の現像剤が収容されている。そして、現像剤収容容器１１が水平となるように設置されていれば、初期動作で、攪拌スクリュー１２が回転しても、この回転軸と同軸で設けた排出制限羽根も同期して回転するので、現像剤には排出方向とは逆方向の圧力が作用し、回収容器２５に排出される現像剤の量は殆どゼロ、あるいは、排出されたとしても微量である。また、現像剤収容容器１１が、その現像剤排出部側が低くなるように傾くと、図８に示すように、その傾斜角度が大きくなるに従って、排出制限羽根２２ａによる阻止圧を超え、徐々に回収容器２５に排出される現像剤の量が線形に増大する。そして、傾斜角度がある角度以上となると、供給スクリュー１３によって現像ローラ１４に供給可能な現像剤の量が、軸方向で許容範囲を超える。すなわち、現像ローラ１４の軸方向で、供給されるトナー量に偏りが発生し、感光体ドラム７に濃度ムラが発生してしまう。この濃度ムラは、例えば、印刷した記録媒体３６の状態から判断することができる。そこで、発生する濃度ムラが許容範囲内となるように、現像剤収容容器１１の傾き、すなわち検出される現像剤の量の限界値（閾値）を決定している。
【００４７】
検出される現像剤量が閾値を超えていなければ、現像剤収容容器１１から回収容器２５に排出された現像剤量が許容範囲内、すなわち現像剤収容容器１１が水平であるか、あるいは、傾いていても、許容できる範囲であると判断する。この場合、前記同様、画像安定化制御処理（ステップＳ３）及び画像形成処理（ステップＳ４）を実行する。
【００４８】
一方、検出される現像剤量が閾値を超えていれば、そのまま画像形成処理を実行すると濃度ムラが発生することが予測されるので、ユーザに音声や画面表示等によって警告を発する（ステップＳ６）。そして、現像剤収容容器１１の傾きが調整されるまで、画像形成処理を中止する。現像剤収容容器１１の傾きが調整され、画面に表示させたオペレーションパネル等で所定の入力が行われれば（ステップＳ７）、前記同様、画像安定化制御処理（ステップＳ３）及び画像形成処理（ステップＳ４）を実行する。
【００４９】
このように、前記画像形成装置では、現像剤収容容器１１の傾きを、初期動作で回収容器２５に回収される現像剤の量により判断するようにしたので、特別なセンサ等を必要とすることなく、既存の設備で対応することができる。
【００５０】
なお、本発明は、前記実施形態に記載された構成に限定されるものではなく、種々の変更が可能である。
【００５１】
図９では、現像剤排出口２３の位置（回収容器２５の取付位置）は、イエロー(Ｙ)、マゼンタ（Ｍ）、シアン（Ｃ）、ブラック（Ｂｋ）の各画像形成ユニット１の現像剤収容容器１１で設ける位置が相違している。
【００５２】
すなわち、イエロー(Ｙ)、シアン（Ｃ）では、回収容器２５は画像形成装置の正面側に配置され、マゼンタ（Ｍ）、ブラック（Ｂｋ）では、回収容器２５は画像形成装置の背面側に配置されている。これにより、画像形成装置が、現像剤収容容器１１の一端側又は他端側のいずれの方向に向かって低くなるように傾いて設置されたとしても、確実に検出することが可能となる。この場合、現像剤収容容器１１のうち、いずれか１つで、他のものとは反対側に回収容器２５を設けるようにしてもよい。また、現像剤量検出センサ２６は、４つ全ての回収容器２５に設ける必要もなく、２つあるいは３つに設け、少なくとも１つで、他のものとは反対側に配置した回収容器２５に設けるようにしてもよい。
【００５３】
図１０では、中間転写ベルト３２上の幅方向に所定間隔でテストパターン３２ａ、３２ｂをそれぞれ形成し、これらテストパターン３２ａ、３２ｂを濃度検出センサ４１ａ、４１ｂによってそれぞれ検出することにより、画像形成装置すなわち現像剤収容容器１１が傾いて設置されているか否かを検出するようにしている。なお、テストパターンは、予め設定した画像データに基づいて、感光体ドラム７上に静電潜像を形成し、現像装置９によりトナーを供給することにより、中間転写ベルト３２に形成する。
【００５４】
現像剤収容容器１１が傾いて設置されているか否かの判断は、図１１に示すフローチャートに従って、次のようにして行う。
【００５５】
すなわち、まず、前記実施形態と同様にして、現像装置９が新品か否かを判断し（ステップＳ１１）、回収容器２５が新品（空）か否かを判断する（ステップＳ１２）。そして、少なくともいずれか一方が新品でなければ、画像安定化制御処理を実行し（ステップＳ１３）、画像形成処置を実行する（ステップＳ１４）。
【００５６】
いずれも新品であれば、中間転写ベルト３２の幅方向２箇所にテストパターンをそれぞれ形成する（ステップＳ１５）。そして、濃度検出センサにより、中間転写ベルト３２に形成されたテストパターンに照射し、その反射率に基づいて濃度を検出する（ステップＳ１６）。続いて、検出された各テストパターンの濃度の差を演算し（ステップＳ１７）、その差が予め設定した閾値を超えるか否かを判断する（ステップＳ１８）。閾値は、検出される濃度差がこの値を超えると、濃度ムラが大きくて、記録媒体３６の画質が悪いと判断される値とする。
【００５７】
濃度差が閾値以下である場合、現像剤収容容器１１の傾きが許容範囲内であると判断し、前記同様、画像安定化制御処理を実行し（ステップＳ１３）、画像形成処置を実行する（ステップＳ１４）。
【００５８】
一方、濃度差が閾値を超えている場合、前記同様、そのまま画像形成処理を実行すると濃度ムラが発生することが予測されるので、ユーザに音声や画面表示等によって警告を発する（ステップＳ１９）。そして、現像剤収容容器１１の傾きが調整されるまで、画像形成処理を中止する。現像剤収容容器１１の傾きが調整され、画面に表示させたオペレーションパネル等で所定の入力が行われれば（ステップＳ２０）、前記同様、画像安定化制御処理（ステップＳ１３）及び画像形成処理（ステップＳ１４）を実行する。
【００５９】
前記ステップＳ１８に加えて、さらに、前記実施形態と同様に、回収容器２５に現像剤量検出センサ２６を設け、この現像剤量検出センサ２６で検出される現像剤量が基準値を超えているか否かを判断するようにしてもよい。つまり、現像剤の回収量をも加味することにより、現像剤収容容器１１が傾いている以外の要因（例えば、感光体ドラム７と現像ローラ１４との間の隙間が軸方向でばらついている等）によってテストパターンでの検出濃度差に違いが生じたのか否かを区別することが可能となる。
【図面の簡単な説明】
【００６０】
【図１】本実施形態に係る画像形成装置の概略図である。
【図２】図１の現像装置を示す概略図である。
【図３】図２の現像剤収容容器の概略平面断面図である。
【図４】図２の現像剤収容容器の一部及び回収容器を示す正面断面図である。
【図５】図４の回収容器を示す斜視図である。
【図６】本実施形態に係る画像形成装置のブロック図である。
【図７】本実施形態に係る傾き検出処理を示すフローチャートである。
【図８】現像剤収容容器の傾き量と、回収容器に回収される現像剤量との関係を示すグラフである。
【図９】他の実施形態に係る現像剤収容容器を示す概略平面図である。
【図１０】他の実施形態に係る現像剤収容容器の傾きを検出するための構成を示す概略説明図である。
【図１１】図１０での傾き検出処理を示すフローチャートである。
【符号の説明】
【００６１】
１…画像形成ユニット
２…転写ユニット
３…露光ユニット
４…給紙ユニット
５…クリーニングユニット
６…制御ユニット
６ａ…記憶手段
７…感光体ドラム
８…帯電装置
９…現像装置
１０…クリーニング装置
１１…現像剤収容容器
１２…攪拌スクリュー
１３…供給スクリュー
１４…現像ローラ
１５…仕切壁
１６…第１収容部
１７…第２収容部
１８ａ、１８ｂ…連通部
１９…現像剤補給口
２０…補給容器
２１…現像剤排出部
２２…排出室
２３…現像剤排出口
２４…シャッター
２５…回収容器
２６…現像剤量検出センサ
２７…接続部
２８…弾性シート
２９…スリーブ
３０…永久磁石
３１…支持ローラ
３２…中間転写ベルト
３２ａ、３２ｂ…テストパターン
３３…１次転写部
３４…２次転写部
３５…カセット
３６…記録媒体
３７…搬送ローラ
３８…定着ユニット
３９…排出トレイ
４０…警告手段
４１ａ、４１ｂ…濃度検出センサ
【図１】
2009288755.tif 000003
【図２】
2009288755.tif 000004
【図３】
2009288755.tif 000005
【図４】
2009288755.tif 000006
【図５】
2009288755.tif 000007
【図６】
2009288755.tif 000008
【図７】
2009288755.tif 000009
【図８】
2009288755.tif 000010
【図９】
2009288755.tif 000011
【図１０】
2009288755.tif 000012
【図１１】
2009288755.tif 000013